(57)【要約】【課題】電源ラインモニタ等で記録された記録データを外部機器で観察するにあたって、専用の表示プログラムを用いることなく、容易に観察（閲覧）できるようにする。【解決手段】メモリユニット５に保存されている計測データを動画として編集する動画編集ユニットを備え、好ましくはＭＰＥＧ等の汎用動画ソフトで計測データを動画とし、好ましくはＤＬＮＡサーバー機能を有するローカルエリアネットワーク接続部１０から外部機器であるパソコンに送信する。【選択図】図１
2016223992.tif 000002
【特許請求の範囲】
【請求項１】
計測対象より入力される被測定アナログ信号をデジタル信号に変換するＡ／Ｄ変換器を有する信号入力部と、
上記信号入力部から出力されるデジタル信号を記憶するメモリーユニット部と、
上記メモリーユニット部に対する上記デジタル信号の記憶および／または読出を処理する信号処理部と、
所定の操作指示を入力するための操作指示入力部と、
上記メモリーユニット部に記憶されている上記デジタル信号を所定の外部機器に伝送するローカルエリアネットワーク接続部と、
上記メモリーユニット部に記憶されている上記デジタル信号を経時の動画として編集する動画編集ユニット部と、
上記操作指示入力部からの指示に基づいて少なくとも上記信号処理部、上記ローカルエリアネットワーク接続部および上記動画編集ユニット部を制御する制御部とを備え、
上記動画編集ユニット部にて編集した経時の動画を上記ローカルエリアネットワーク接続部から上記外部機器に送信することを特徴とする計測信号記録装置。
【請求項２】
上記動画編集ユニット部は、上記制御部の指示に基づいて、上記メモリーユニット部に記憶されている上記デジタル信号のうち、上記制御部にて判定された異常信号の部分を経時の動画として編集することを特徴とする請求項１に記載の計測信号記録装置。
【請求項３】
上記ローカルエリアネットワーク接続部は、ＤＬＮＡサーバー機能を備えていることを特徴とする請求項１または２に記載の計測信号記録装置。
【請求項４】
上記信号入力部は、複数の被測定アナログ信号が並列的に入力され、その各々がＡ／Ｄ変換される多チャンネル入力部であり、上記多チャンネル入力部から出力される複数のデジタル信号が各チャンネルごとに上記メモリーユニット部に記憶され、上記制御部は、所定の２つのチャンネル間の所定の演算値を求めて上記メモリーユニット部に追加的に記憶し、上記動画編集ユニット部にて上記チャンネル間の演算値も経時の動画として編集して上記ローカルエリアネットワーク接続部から上記外部機器に送信することを特徴とする請求項１ないし３のいずれか１項に記載の計測信号記録装置。
【請求項５】
上記動画編集ユニット部は、上記制御部の指示に基づいて、上記メモリーユニット部に記憶されているデジタル信号の所定部分を経時のＸ−Ｔグラフの動画として編集することを特徴とする請求項１ないし４のいずれか１項に記載の計測信号記録装置。
【請求項６】
上記動画編集ユニット部は、上記制御部の指示に基づいて、上記メモリーユニット部に記憶されているデジタル信号の所定部分を経時の指示計器表示の動画として編集することを特徴とする請求項１ないし４のいずれか１項に記載の計測信号記録装置。
【請求項７】
上記動画編集ユニット部は、上記制御部の指示に基づいて、上記メモリーユニット部に記憶されているデジタル信号の所定部分を経時の表表示の動画として編集することを特徴とする請求項１ないし４のいずれか１項に記載の計測信号記録装置。
【請求項８】
上記動画編集ユニット部は、上記メモリーユニット部に記憶されているデジタル信号を経時のＸ−Ｔグラフの動画として編集する第１編集機能、経時の指示計器表示の動画として編集する第２編集機能、経時の表表示の動画として編集する第３編集機能の少なくとも３つの編集機能を備え、上記制御部の指示に基づいて、上記メモリーユニット部に記憶されているデジタル信号のうち、少なくとも２つのチャンネルのデジタル信号を選択し、その一方のデジタル信号と他方のデジタル信号を異なる編集機能にて１画面内に組み合わせた動画として編集することを特徴とする請求項１ないし４のいずれか１項に記載の計測信号記録装置。
【発明の詳細な説明】
【技術分野】
【０００１】
本発明は、計測対象の信号（被測定信号）を記録し、記録した信号の変遷を遠隔地にても容易に閲覧可能とする計測信号記録装置に関し、さらに詳しく言えば、異常信号（イベント信号）を含む大量の被測定信号を遠隔地においても容易に自動閲覧可能とする技術に関するものである。
【背景技術】
【０００２】
電源ラインモニタ等の計測信号記録装置では、長時間にわたって被測定信号を測定記録するとともに、その測定中に発生する異常信号（イベント信号）をも記録するが、多くの場合、これらの記録データを他の機器に出力するため、ＧＰ−ＩＢやＲＳ２３２Ｃ、パラレルＩ／Ｏ等のインターフェイスを備えている。また近年では、ローカルエリアネットワーク（ＬＡＮ）の普及により、全世界に向けて記録したデータを送信することもできる。
【０００３】
この種の計測信号記録装置の一例として、図８に特許文献１による計測信号記録装置を示す。この計測信号記録装置では、アナログ入力部１０に入力された複数のアナログ信号の中から、チャンネル切替器１１により１つのアナログ信号が選択され、選択されたアナログ信号はＡ／Ｄ変換器２０にてデジタル信号に変換される。
【０００４】
変換されたデジタル信号は、時系列順に例えばループメモリ５０に記録され、そのメモリ容量すべてにデータが記録されると、例えばＦＩＦＯ（先入れ先出し）方式にて新たなデジタル信号が順次上書きされ、記録内容が逐次更新される。
【０００５】
信号比較器７０は、Ａ／Ｄ変換器２０の出力であるデジタル信号と、あらかじめ制御部６０Ａに設定されている閾値とを比較し、被測定のデジタル信号が閾値を超えるかもしくは下回ると制御部６０Ａに異常検出信号（トリガ信号）を出力し、これにより、制御部６０Ａは、ループメモリ５０へあらかじめ設定されている回数分データの書込を行ったのち書込動作を停止する。
【０００６】
このようにして、信号比較器７０が動作する前から動作後に至る所定波形数分の信号波形がループメモリ５０に記録されるが、必要に応じて、外部記録媒体インターフェイス８０を通じて外部記録媒体に記録することができる。また、ローカルエリアネットワークを介して外部の例えばパソコンクラスのコンピュータにも記録データを送信することもできる。
【０００７】
次に、計測信号記録装置の別の例として、図９に特許文献２による計測信号記録装置を示す。この計測信号記録装置は、表示用ディスプレイ１６を備えた波形記録計で、入力されたアナログ信号は、Ａ／Ｄ変換器１１にてデジタル信号に変換され、メモリコントローラ１２により高速でメモリ１３に記録される。
【０００８】
ＣＰＵ（制御部）１４は、キーボード１５に入力される操作者の指示にしたがってメモリ１３に記録された測定データを読み出し、ディスプレイ１６に表示する。その表示例を図１０に示す。
【０００９】
この表示例によると、ディスプレイ１６には、被測定波形Ｗの表示領域の下部にメモリ１３内の全記録長に相当するバーグラフが表示され、そのバーグラフ内に現在表示されている波形の範囲を示すカーソルが表示される。
【００１０】
さらに、その下方に左方向スクロールキー１ａと右方向スクロールキー１ｂを含むスクロールキー３が表示され、これらスクロールキー１ａ，１ｂをマウス等でクリックすることにより、表示波形が右方向もしくは左方向に流れ、メモリ１３内に記録されている測定データの所定箇所（例えばイベント波形等）を観察することができる。
【先行技術文献】
【特許文献】
【００１１】
【特許文献１】特開平８−１４５７２８号公報
【特許文献２】特開平８−１４６０４４号公報
【発明の概要】
【発明が解決しようとする課題】
【００１２】
図８に示した計測信号記録装置によれば、外部記録媒体インターフェイスやＬＡＮ等の通信インターフェイスを介して記録データを外部機器に送信することができるが、送信される記録データはデジタル値群でしかも大量である。
【００１３】
このような大量のデジタル値群からなる記録データを、受信側でユーザー（観察者）に理解しやすい形で表示するには、受信側のコンピュータに専用の表示プログラムをインストールして読み取りやすい表示を行う必要がある。
【００１４】
この専用の表示プログラムは、通常、計測信号記録装置のメーカー側で作成されユーザーに供されるが、この種の専用表示プログラムは、その用途が特定の機種に限られ汎用性がないことからしても、メーカーにとってプログラム作成費用が大きな負担となる。
【００１５】
そこで、本発明の課題は、電源ラインモニタ等の計測信号記録装置で大量に記録された記録データを外部機器で観察するにあたって、専用の表示プログラムを用いることなく、容易に観察（閲覧）できるようにすることにある。
【課題を解決するための手段】
【００１６】
上記課題を解決するため、本発明は、計測対象より入力される被測定アナログ信号をデジタル信号に変換するＡ／Ｄ変換器を有する信号入力部と、上記信号入力部から出力されるデジタル信号を記憶するメモリーユニット部と、上記メモリーユニット部に対する上記デジタル信号の記憶および／または読出を処理する信号処理部と、所定の操作指示を入力するための操作指示入力部と、上記メモリーユニット部に記憶されている上記デジタル信号を所定の外部機器に伝送するローカルエリアネットワーク接続部と、上記メモリーユニット部に記憶されている上記デジタル信号を経時の動画として編集する動画編集ユニット部と、上記操作指示入力部からの指示に基づいて少なくとも上記信号処理部、上記ローカルエリアネットワーク接続部および上記動画編集ユニット部を制御する制御部とを備え、
上記動画編集ユニット部にて編集した経時の動画を上記ローカルエリアネットワーク接続部から上記外部機器に送信することを特徴としている。
【００１７】
本発明において、上記動画編集ユニット部は、好ましくは、上記制御部の指示に基づいて、上記メモリーユニット部に記憶されている上記デジタル信号のうち、上記制御部にて判定された異常信号の部分を経時の動画として編集する。
【００１８】
上記ローカルエリアネットワーク接続部は、ＤＬＮＡサーバー機能を備えていることも本発明の特徴の一つである。
【００１９】
上記信号入力部は、複数の被測定アナログ信号が並列的に入力され、その各々がＡ／Ｄ変換される多チャンネル入力部であり、上記多チャンネル入力部から出力される複数のデジタル信号が各チャンネルごとに上記メモリーユニット部に記憶され、上記制御部は、所定の２つのチャンネル間の所定の演算値を求めて上記メモリーユニット部に追加的に記憶し、上記動画編集ユニット部にて上記チャンネル間の演算値も経時の動画として編集して上記ローカルエリアネットワーク接続部から上記外部機器に送信する態様も本発明に含まれる。
【００２０】
上記動画編集ユニット部は、その態様の一つとして、上記制御部の指示に基づいて、上記メモリーユニット部に記憶されているデジタル信号の所定部分を経時のＸ−Ｔグラフの動画として編集する。
【００２１】
また、上記動画編集ユニット部は、別の態様として、上記制御部の指示に基づいて、上記メモリーユニット部に記憶されているデジタル信号の所定部分を経時の指示計器表示の動画として編集する。
【００２２】
また、上記動画編集ユニット部は、さらに別の態様として、上記制御部の指示に基づいて、上記メモリーユニット部に記憶されているデジタル信号の所定部分を経時の表表示の動画として編集する。
【００２３】
また、上記動画編集ユニット部は、上記メモリーユニット部に記憶されているデジタル信号を経時のＸ−Ｔグラフの動画として編集する第１編集機能、経時の指示計器表示の動画として編集する第２編集機能、経時の表表示の動画として編集する第３編集機能の少なくとも３つの編集機能を備え、上記制御部の指示に基づいて、上記メモリーユニット部に記憶されているデジタル信号のうち、少なくとも２つのチャンネルのデジタル信号を選択し、その一方のデジタル信号と他方のデジタル信号を異なる編集機能にて１画面内に組み合わせた動画として編集することもできる。
【発明の効果】
【００２４】
本発明によれば、メモリユニット部に保存されている記録データが動画編集ユニット部にて経時の動画に編集されてローカルエリアネットワーク接続部から送信されるため、受信側においては、動画再生ソフト（特には、汎用の動画再生ソフト）を用意するだけでよく、大量の記録データを容易に観察（閲覧）することができる。
【図面の簡単な説明】
【００２５】
【図１】本発明の一実施形態に係る計測信号記録装置の構成を示す模式図。
【図２】上記計測信号記録装置での計測データの記録処理の仕方を示す説明図。
【図３】上記計測信号記録装置において計測データの記録にアクセスする際に表示される記録のリストを示す図。
【図４】上記計測信号記録装置の表示部に計測データをスクロール可能な波形として表示した状態を示す表示画面図。
【図５】上記計測信号記録装置の表示部に計測データをスクロール可能なデジタルパネルメータとして表示した状態を示す表示画面図。
【図６】上記計測信号記録装置の表示部に計測データをスクロール可能なアナログパネルメータとして表示した状態を示す表示画面図。
【図７】操作者がＤＬＮＡクライアント機器を利用して上記計測信号記録装置の動画記録にアクセスする手順の一例を示す説明図。
【図８】第１従来例として外部機器とのインターフェイスを備えている計測信号記録装置の構成を示す模式図。
【図９】第２従来例として表示部を有する波形記録計の構成を示模式図。
【図１０】上記波形記録計の表示部に表示されるスクロール波形の一例を示す表示画面図。
【発明を実施するための形態】
【００２６】
次に、図１ないし図７により、本発明の実施形態について説明するが、本発明はこれに限定されるものではない。
【００２７】
図１に示すように、この実施形態に係る計測信号記録装置Ａは、複数の入力端子（入力チャンネル）ＩＮ１〜ＩＮｎを有し、これら入力端子ＩＮから図示しないセンサにて検出された計測対象（被測定体）の電圧や電流、振動、圧力、温度等のアナログ信号が入力され、これらアナログ信号のレベルが、シグナルコンディショナ部１にて一定範囲内に納まるように調整される。
【００２８】
シグナルコンディショナ部１にてレベル調整されたアナログ信号は、次段のＡ／Ｄ変換ユニット部２に入力されデジタル信号に変換されるが、この実施形態において、Ａ／Ｄ変換ユニット部２は、例えば１０ＫＳ／ｓ（毎秒１０，０００回のサンプリング）の速度でＡ／Ｄ変換するＡ／Ｄ変換器２１と、ハイパスフィルタ２３と組み合わされハイパスフィルタ２３を通過した高い周波数成分を例えば１ＭＳ／ｓ（毎秒１，０００，０００回のサンプリング）の比較的速い速度でＡ／Ｄ変換を行うＨｉＡ／Ｄ変換器２２とを並列に接続してなる。
【００２９】
Ａ／Ｄ変換器２１は、入力されるアナログ信号のうち、Ａ／Ｄ変換可能な周波数帯域内のアナログ信号をデジタル信号に変換し、ＨｉＡ／Ｄ変換器２２は、スパイク状の高い周波数の変化であるいわゆるトランジェントを捉える。このＡ／Ｄ変換ユニット部２は、各入力端子ＩＮごとに設けられている。
【００３０】
Ａ／Ｄ変換ユニット部２から出力されるデジタル信号（計測信号）は、信号処理部３によりメモリユニット５に直接書き込まれる。信号処理部３には、ＦＰＧＡ（フレキシブルプログラマブルゲートアレー）が用いられ、これによれば、メモリユニット５に対する信号の書込・読出しを直接的に行うことができる。
【００３１】
また、信号処理部３は演算機能を有し、制御部（ＣＰＵ）４からの指示を受けて、ある時間内の実効値や最大値・最小値を演算したり、各入力端子ＩＮ間での信号同士の演算（例えば、電圧と電流とから皮相電力や有効電力等を求める演算）を実行する。
【００３２】
動画編集ユニット１２は、表示部６に表示されるデジタル値のＸ−Ｔグラフ等を動画に変換する。動画変換されたグラフはサーバユニット１１に保存される。
【００３３】
制御部４は、この計測信号記録装置Ａの全体的な制御を受け持ち、シグナルコンディショナ部１、Ａ／Ｄ変換ユニット部２、信号処理部３等の各部の動作制御や、操作者（ユーザー）からの指示の受付、表示器や外部機器への各種出力を行う。
【００３４】
表示部６は、制御部４からの指示にしたがってメモリユニット５内に保存されている計測データを、図４に例示するＸ−Ｔ（時間軸）のグラフ表示、図５に例示する数字表示（表表示）、図６に例示する指示計器型の表示等を行う。また、Ｘ−Ｔのグラフ表示においては、カーソル等も表示する。
【００３５】
キーユニット（操作部）７は、制御部４に対して操作者からの動作指示や表示指示等を与える。この計測信号記録装置Ａで、ＲＴＣ（リアルタイムクロック）８は、時刻時計を受け持つ。ＲＴＣ８にて計時された時刻は、キーユニット７から指示にしたがって、メモリユニット５に書き込まれる計測データに付帯される。
【００３６】
この計測信号記録装置Ａは、メモリユニット５に保存されている計測データを外部機器に与えるためのインターフェイス９と、通信用としてのローカルエリアネットワーク接続部１０とを備えている。
【００３７】
インターフェイス９には、ＲＳ（ＲＳ−２３２Ｃ），ＧＰ−ＩＰ，ＵＳＢ等が含まれ、メモリユニット５に保存されている計測データがインターフェイス９を介して外部機器に与えられる。
【００３８】
ローカルエリアネットワーク接続部１０はイーサネット（登録商標）コントローラを含み、インターネットを介して外部機器であるパソコンとの通信を行うが、この実施形態において、ローカルエリアネットワーク接続部１０は、ＤＬＮＡ（Ｄｉｇｉｔａｌ  Ｌｉｖｉｎｇ  Ｎｅｔｗｏｒｋ  Ａｌｌｉａｎｃｅ）サーバー機能を備えている。
【００３９】
次に、図２により、メモリユニット５への計測データの記録手順について説明する。この実施形態では、２００ｍｓを計測の１区間単位とし、その１区間ごとに計測データが記録２２Ａ，記録２２Ｂ…としてメモリユニット５に保存される。
【００４０】
計測の１区間が２００ｍｓの場合、例えば５０Ｈｚの信号ならば１０波長分の長さとなる。この２００ｍｓ間の計測では、まず、２００ｍｓ間についてＡ／Ｄ変換器２１でデジタル値に変換された波形データがメモリユニット５に波形データ記録２２１として記録（保存，格納）される。
【００４１】
次に、２００ｍｓ間の波形データ記録２２１から、この期間の測定値データを算出し、測定値データ記録２２２として記録する。この測定値データ記録２２２とは、波形データ記録２２１の記録から算出される１波形単位の実効値や、２００ｍｓ間の１波形最大実効値や最小実効値、最大波高値等である。
【００４２】
また、算出記録として、波形データ間の演算による演算データ記録を作成することもできる。例えば、入力端子ＩＮ１の波形データ記録と入力端子ＩＮ２の波形データ記録とを同時刻データ間でかけ算する。かけ算の全実効値は皮相電力、直流成分は有効電力、交流成分は無効電力であり、皮相電力と有効電力の比により力率が求められる。
【００４３】
この計測信号記録装置Ａによれば、キーユニット７より測定条件の一つとしてイベント検出条件を設定することができる。この場合、波形データ記録２２１と測定値データ記録２２２の各記録内に、イベント検出条件としての指定値（閾値）を超えるか、もしくは下回るデータ（異常データ）があれば、それらの異常データがイベント一覧２２３として記録される。
【００４４】
２００ｍｓ間の記録２２Ａは、次の２００ｍｓ間の記録２２Ｂと順次連結され、長時間の記録とされるが、ＨｉＡ／Ｄ変換器２２は、Ａ／Ｄ変換器２１と同時に２００ｍｓ間のハイパスフィルタ２３を通過した高い周波数成の信号をＡ／Ｄ変換し、このＡ／Ｄ変換データはメモリユニット５にイベント波形データ記録２２４として記録される。
【００４５】
ただし、ＨｉＡ／Ｄ変換器２２のサンプリング速度はかなり速く、そのデータ量が膨大となるため、この記録内にイベントと判断される異常値がない場合には、次の記録によりオーバーライトされ、記録として残されない。
【００４６】
イベント波形データ記録２２４内にイベントが含まれていると判断された場合、その波形データはイベント波形データ記録２２４Ａとして記録される。また、このイベント波形データには、例えばイベントの発生日付、時刻、ピーク値、ピーク値変動データ等が付加され、記録２２４Ｂとして記録される。
【００４７】
この各記録２２１，２２２，２２３，２２４Ａおよび２２４Ｂ等は、ＲＴＣ８の時刻時計により関連付けされる。
【００４８】
このようにして記録されたデータでは、それらデータにアクセスする手順で操作性能が決まる。図３は、表示部６を利用しての各入力端子ＩＮから入力された各種の信号を記録した波形データ記録２２１や測定値データ記録２２２等にアクセスしやすくするための記録のリストを示している。また、この図３のリストは、ローカルエリアネットワーク接続部１０から送信される際、その先頭に表示される動画選択のアクセスにも利用される。
【００４９】
この例では、まず、図２の記録２２により作成されたリストが表示され、このリスト表示の内容から観測するデータを選択する。
【００５０】
図３の表示画面中のリスト表示３３１には、入力端子ＩＮ１の波形データ３３１１，測定値データのうち、２００ｍｓ間の実効値３３２，１波形毎の実効値３３３、測定値データのイベント一覧３３４が含まれている。なお、図３において、アナログ入力ＩＮ１以外の各記録のリスト表示は省略している。
【００５１】
また、リスト表示３３５には、指定された入力端子間の演算による測定値（例えば皮相電力３３６や力率３３７）のデータリスト３３５が表示されている。
【００５２】
イベント一覧リスト表示３３８は、ＨｉＡ／Ｄ変換器２２により測定されたイベント波形データ記録のリストであり、これには日時秒、サブ秒などの時刻データによるリスト３３９が含まれている。
【００５３】
操作者が上記のリスト表示３３１あるいは３３５から表示（観測）したいデータを選択することで表示部６に図表が表示される。なお、図３のリスト表示では、同一２００ｍｓ間における記録をリスト表示したが、例えば波形データ３３１を時系列順にリスト化したり、２００ｍｓ間の実効値３３２を時系列順に連結したデータを１つのリストとして表示することもできる。
【００５４】
図４は、表示部６に表示される波形表示の一例であり、この表示画面の上部には、入力端子ＩＮ１とＩＮ２の各入力チャンネル表示４１１，４１２、それぞれ記録の内容４２１，４２２、Ｘ軸の一目盛当たりの単位４３１，４３２、Ｙ軸の一目盛当たりの単位４４１，４４２が表示されている。
【００５５】
表示画面の中央のグラフ表示部４５には、波形データ４５１の記録と２００ｍｓ実効値４５２とがＸ−Ｔのグラフとして表示されている。Ｘ軸の一目盛当たりの単位は、操作者が任意に決められるが、グラフの全幅はシグナルコンデショナ部１で決まる振幅となる。
【００５６】
また、表示画面の下部には、記録長さを示すバーグラフ４６１と、現在の表示位置を示すカーソル４６２とが表示されている。また、バーグラフ４６１の右側の表示欄４７１には、図３の記録のリスト表示より選択された記録の記録長さに対応する測定開始時刻と終了時刻とが時、分、秒、サブ秒（○○：○○：○○．○）で表示されている。なお、図４の波形表示の右上隅のＵ字矢印４８１は、この表示直前のリスト表示に戻るためのリターンカーソルである。
【００５７】
図５は、表示部６の表示画面に、図３における２００ｍｓ実効値測定値データ３３２の一部をデジタルパネルメータ表示により数字表示した例である。
【００５８】
この表示例によれば、表示画面の最上行（１行目）に、入力端子ＩＮ１とＩｎ２のチャンネル表示５１１，５１２と、これら各チャンネルの記録の内容５２１，５２２とが表示されており、２行目には図３における入力チャンネル間の演算データ３３５から選択したＩＮ１−ＩＮ２間の演算データを示す表示５３１と皮相電力値５３３、同じくＩＮ１−ＩＮ２間の演算データを示す表示５３２と力率５３４が選択されたことを表示している。
【００５９】
図５の表示例では、数字表示のための４つのパネルメータ部５４１〜５４４が用意されており、パネルメータ５４１部には、入力端子ＩＮ１の選択された記録内容５２１に応じて、その実効値電圧が「１００．５Ｖ」と表示され、パネルメータ部５４２には、入力端子ＩＮ２の選択された記録内容５２２に応じて、その実効値電流が「１．００Ａ」と表示されている。
【００６０】
また、パネルメータ部５４３には、入力端子ＩＮ１の電圧値と入力端子Ｉｎ２の電流値とから算出される皮相電力が「１００．５ＶＡ」と表示され、パネルメータ部５４４には、力率が「０．９５」と表示されている。
【００６１】
なお、図５の表示例においても、図４と同じく、表示画面の下部に記録長さを示すバーグラフ４６１とカーソル４６２、記録の開始と終了時刻を示す時刻表示４７１がある。また、表示画面の右上隅には、この表示直前の表示に戻るためのリターンカーソル４８１が表示されている。
【００６２】
図５に示したデジタルパネルメータの数字表示の更新は、各データ別に時間経過を追って表示してもよいが、Ａ／Ｄ変換が例えば１０ＫＳ／ｓであるとすれば、１秒間に１０，０００個のデータがあり、これを２００ｍｓ間の実効値に置き換えても、秒５回表示の更新が行われることになる。信号の急変を意識しなければ、この５回のデータを平均化して秒１回の更新としてもよい。
【００６３】
次に、図５のパネルメータ部５４１〜５４４の部分をアナログパネルメータとした表示例を図６に示す。
【００６４】
アナログパネルメータは、指針６１１が可動範囲中を被測定入力信号の大きさに比例して回動するものであり、背後にスケール６１２が表示される。デジタルパネルメータに比べ視認性にすぐれているため監視用途に多用されている。
【００６５】
測定データを指針６１１の回転角に置き換えるには、回転角を９０度とすればシグナルコンデショナ部１とＡ／Ｄ変換器２とで決定される最大カウント数で９０度を割った角度が１カウント当たりの角度となる。したがって、アナログ入力に比例したカウントに、この１カウント当たり角度をかけ算し、指針６１１を回転表示させればよい。
【００６６】
監視用途としては、限界値を示す置針６１３も有効である。許容されるアナログ入力範囲を超えない目標値を入力し、その位置に置針６１３を設ける。アナログ入力が置針６１３の目標値を超えたとき、アナログパネルメータのスケール６１２の背景色を例えば白から赤に変えることにより、さらに視認性を高めることができる。
【００６７】
以上、メモリユニット５に記録されている計測信号の表示例を図４，図５および図６で説明したが、これらの表示を時間経過を追ってスクロール表示するには高速の表示更新処理などが必要である。
【００６８】
同様に、外部機器（例えばパソコン）で観測する場合にも、例えば高速スクロール機能等を有する専用の表示ソフト（表示プログラム）が必要となるが、この種の専用表示ソフトは、先にも説明したように、その用途が特定の機種に限られ汎用性がないことからしても、その作成にはかなりの費用がかかる。
【００６９】
そこで、本発明の計測信号記録装置Ａにおいては、動画編集ユニット１２を備え、メモリユニット５に保存されている計測データを動画に変換し、ローカルエリアネットワーク接続部１０から外部機器に送信するようにしている。
【００７０】
動画編集ユニット１２は、図２に示した各記録２２Ａ，２２Ｂ…のすべてを動画として変換してサーバユニット１１に保存する方法と、各記録別に動画に変換するいずれの方法も取り得る。動画への変換には、好ましくはＭＰＥＧ（Ｍｏｖｉｎｇ  Ｐｉｃｔｕｒｅ  Ｅｘｐｅｒｔｓ  Ｇｒｏｕｐ）等の汎用フォーマットが採用され、例えば３０フレームあるいは６０フレーム／ｓの動画に変換される。
【００７１】
図３に示した各リスト表示を動画に変換する際の動画の時間長は、各リストのデータ長さから決定してもよい。上記実施形態において、各リスト内のデータは２００ｍｓ単位が基本となっていることから、２００ｍｓの波形データ３３１等を動画として観察する場合は２０秒等に時間を拡大して観察するのが好ましい。
【００７２】
逆に、２００ｍｓ実効値３３２では１データのみとなるため、同一の２００ｍｓ実効値３３２Ａ、３３２Ｂと連結して、例えば１日分を１動画として早送り観測し、異常値を示す部分については明細に観測することが望ましい。
【００７３】
動画利用について実施例を図７に示す。図７において、観察者７１１はＤＬＮＡクライアント機器７１２（パソコン、テレビ等）を操作し、ローカルエリアネットワーク（ＬＡＮ）経由で本発明の計測信号記録装置Ａにアクセスする。
【００７４】
そうすると、本発明の計測信号記録装置Ａは、サーバユニット１１より動画データを呼び出し、観察者のクライアント機器７１２に送信する。この実施形態において、サーバユニット１１には、動画編集ユニット１２により編集された各記録のスクロール表示動画が保存されている。
【００７５】
動画ファイルに記録の関連情報として、例えばイベント検出時の情報を音声データとして含ませ、動画の再生中にスクロールがイベントのトリガポイントに到達した際に、例えば「ここがトリガポイントで、波高値は○○○Ｖです。」と言うように音声メッセージを出すことも可能で、これによれば、イベントの見逃しをなくすことができる。
【００７６】
また、表示部６の表示画面を例えば２分割し、その各分割画面に異なる入力チャンネルＩＮの動画波形をそれぞれ表示させたり、一方の分割画面には例えば図４に示したＸ−Ｔのグラフの動画を表示し、他方の分割画面には例えば図５に示したデジタルパネルメータを表示させることもできる。
【００７７】
汎用的な動画再生ソフトウエアでは、動画の再生開始、停止、早送り等の操作に加え、動画部分の拡大表示等も可能であり、動画再生操作について専用的な操作画面を用意する必要はない。
【００７８】
このように、汎用性の高い動画システムを計測信号記録装置内に組み込むことで記録されている計測信号を時間経過を追った動画として、パソコン等のディスプレイを備えた外部機器で観測可能となる。
【００７９】
また、この動画による観測は、観測者側の専用のソフトウエアなどを容易することが無く低価格で利用可能であるばかりでなく、早送り、巻き戻し、スロー再生などを自由に利用できるなど、観測者の負担を下げることもできるなど大きな効果を有するものである。
【符号の説明】
【００８０】
１  シグナルコンディショナ部
２  Ａ／Ｄ変換ユニット部
３  信号処理部
４  制御部（ＣＰＵ）
５  メモリユニット
６  表示部
７  キーユニット
１０  ローカルエリアネットワーク接続部
１１  サーバーユニット
１２  動画編集ユニット
【図１】
2016223992.tif 000003
【図２】
2016223992.tif 000004
【図３】
2016223992.tif 000005
【図４】
2016223992.tif 000006
【図５】
2016223992.tif 000007
【図６】
2016223992.tif 000008
【図７】
2016223992.tif 000009
【図８】
2016223992.tif 000010
【図９】
2016223992.tif 000011
【図１０】
2016223992.tif 000012